(57)【要約】【課題】ガラス保持金具の取り付けが容易で高い防犯性を有する開口部装置およびこれに用いられるガラス保持金具の取り外し方法を提供すること。【解決手段】上枠、下枠および左右の縦枠により枠組みされた枠体３０と枠体内に収容されたガラス５１，５２又は障子２００と、を備える開口部装置１であって、縦枠又は障子の縦框２３，２４とガラスの側縁部との間でガラスの周縁部の上下方向に延設されたガラス保持部６０を備え、ガラス保持部は、縦枠又は縦框に固定され且つ第１係合部６１３、Ｓ２が形成された第１ガラス保持金具と、屋外側に設けられ且つ前記第１係合部に係合する第２係合部６４、６７が形成された第２ガラス保持金具と、を備え、第１ガラス保持金具および第２ガラス保持金具のうち少なくとも一方には、第１係合部と第２係合部との係合が外れることを防止するロック機構６５、６４３が設けられることを特徴とする開口部装置である。【選択図】図５
2014194119.tif 000002
【特許請求の範囲】
【請求項１】
上枠、下枠および左右の縦枠により枠組みされた枠体と、該枠体内に収容されたガラス又は障子と、を備える開口部装置であって、
前記縦枠又は前記障子の縦框と前記ガラスの側縁部との間で前記ガラスの周縁部の上下方向に延設されたガラス保持部を備え、
前記ガラス保持部は、前記縦枠又は前記縦框に固定され且つ第１係合部が形成された第１ガラス保持金具と、屋外側に設けられ且つ前記第１係合部に係合する第２係合部が形成された第２ガラス保持金具と、を備え、
前記第１ガラス保持金具および前記第２ガラス保持金具のうち少なくとも一方には、前記第１係合部と前記第２係合部との係合が外れることを防止するロック機構が設けられることを特徴とする開口部装置。
【請求項２】
前記第１ガラス保持金具は、見付け面に前記第１係合部としてのスリットが形成された第１本体部を有し、
前記第２ガラス保持金具は、見込方向に突出して形成され、前記スリットに挿通されて前記第１本体部に係合可能な前記第２係合部としての突出部を備えた第２本体部を有することを特徴とする請求項１に記載の開口部装置。
【請求項３】
前記ロック機構は、前記第１本体部又は前記第２本体部のいずれかに設けられた板ばねの復元力を利用して構成されることを特徴とする請求項２に記載の開口部装置。
【請求項４】
前記板ばねは、該板ばねの端部が屈曲されて形成された屈曲部を有することを特徴とする請求項３に記載の開口部装置。
【請求項５】
前記板ばねは、前記屈曲部が屋内側に位置するように配置され、
前記ロック機構は、屋内側から前記屈曲部を押圧することで解除されることを特徴とする請求項４に記載の開口部装置。
【請求項６】
前記スリットは、前記突出部が挿通可能な幅広の第１スリット部と、該第１スリット部の下方に連接され且つ前記第１スリット部よりも幅狭で前記突出部が係合する第２スリット部と、を有し、
前記ロック機構は、前記板ばねを折り曲げて形成された折り曲げ部が屋内側から前記第１スリット部に挿通され且つ前記第１スリット部の幅方向に前記板ばねが弾性変形可能に設けられて構成されることを特徴とする請求項３から５のいずれか１項に記載の開口部装置。
【請求項７】
前記第１ガラス保持金具および前記第２ガラス保持金具の少なくとも一方には、加熱発泡材が取り付けられていることを特徴とする請求項１から６いずれかに記載の開口部装置。
【請求項８】
縦枠の屋外側に設けられ、ガラスを屋外側から固定する外押縁と、
前記縦枠に固定され且つ上方に位置する第１スリット部と、該第１スリット部から下方に連続する第２スリット部とが形成された第１ガラス保持金具と、屋外側に設けられ且つ前記第１スリット部に挿通して前記第２スリット部に係合する突出部が形成された第２ガラス保持金具と、から構成されるガラス保持金具と、
前記第１ガラス保持金具に設けられ、前記突出部が前記第２スリット部に係合した状態で、前記第１スリット部を塞ぐことにより前記突出部の前記第２スリット部に対する係合が外れないようにロックするロック機構と、
前記ロック機構の屋内側に設けられ、屋内側から前記ロック機構を解除するロック機構解除手段と、を備え開口部装置におけるガラス保持金具の取り外し方法であって、
前記外押縁を取り外す第１工程と、
前記ロック機構解除手段により、屋内側から前記ロック機構を解除する第２工程と、
前記第２工程の後、前記第２スリット部に係合している前記突出部を前記第１スリット部へ移動させて前記突出部と前記第２スリット部との係合を解除し、屋外側から前記第２ガラス保持金具を取り外す第３工程と、を有することを特徴とするガラス保持金具の取り外し方法。
【発明の詳細な説明】
【技術分野】
【０００１】
本発明は、開口部装置およびこれに用いられるガラス保持金具の取り外し方法に関する。詳しくは、優れた防火性能を有する開口部装置およびこれに用いられるガラス保持金具の取り外し方法に関する。
【背景技術】
【０００２】
従来、防火性能を向上させた引違い窓が提案されている（例えば、特許文献１参照）。特許文献１の引違い窓では、障子を構成する各框の内側に形成されたガラス保持溝内に、ステンレス製の断面視コ字状のガラス保持金具（ガラス間口補強材）がガラスの周縁部を覆うように設けられ、ガラス保持溝内の壁にねじ止めされている。これにより、火災発生時にガラス保持溝の屋内側又は屋外側の壁が溶融して変形した場合であっても、ガラス保持金具でガラスを保持できるため、ガラスの脱落を防止できる。また、このガラス保持金具は、防犯性向上の役割も有している。
【先行技術文献】
【特許文献】
【０００３】
【特許文献１】特開２０１２−１２２３０３号公報
【発明の概要】
【発明が解決しようとする課題】
【０００４】
ところが、特許文献１のガラス保持金具は、その形状が断面視コ字状であるため、ガラスの取り付けと同時に障子を取り付ける必要があった。また、ガラス保持金具は、縦枠にねじ止めされて取り付けられるため、施行性に難があった。
【０００５】
しかしながら、ガラス保持金具の取り付けを容易にすると、同時に取り外しも容易になるため、防犯上の懸念が生じる。このため、防犯上安心できるガラス保持金具を備える開口部装置が望まれていた。
【０００６】
本発明は上記に鑑みてなされたものであり、ガラス保持金具の取り付けが容易で高い防犯性を有する開口部装置およびこれに用いられるガラス保持金具の取り外し方法の提供を目的とする。
【課題を解決するための手段】
【０００７】
上記目的を達成するため本発明は、上枠（例えば、後述の上窓枠３１０）、下枠（例えば、後述の下窓枠３２０）および左右の縦枠（例えば、後述の縦窓枠３３０、方立４０）により枠組みされた枠体（例えば、後述の窓枠３０、方立４０）と、該枠体内に収容されたガラス（例えば、後述のガラス５１，５２）又は障子（例えば、後述の障子２００）と、を備える開口部装置（例えば、後述の連窓１）であって、前記縦枠又は前記障子の縦框（例えば、後述の縦框２３，２４）と前記ガラスの側縁部との間で前記ガラスの周縁部の上下方向に延設されたガラス保持部（例えば、後述のガラス保持部６０）を備え、前記ガラス保持部は、前記縦枠又は前記縦框に固定され且つ第１係合部（例えば、後述のスリット６１３、隙間Ｓ２）が形成された第１ガラス保持金具（例えば、後述の長尺状第１ガラス保持金具６１１、短尺状第１ガラス保持金具６３１）と、屋外側に設けられ且つ前記第１係合部に係合する第２係合部（例えば、後述の突出部６４、板状突起部６７）が形成された第２ガラス保持金具（例えば、後述の長尺状第２ガラス保持金具６２１、短尺状第２ガラス保持金具６４１）と、を備え、前記第１ガラス保持金具および前記第２ガラス保持金具のうち少なくとも一方には、前記第１係合部と前記第２係合部との係合が外れることを防止するロック機構が設けられることを特徴とする開口部装置を提供する。
【０００８】
本発明では、開口部装置に、ガラスを保持するガラス保持部を設ける。また、ガラス保持部に、第１係合部が形成された第１ガラス保持金具と、屋外側に設けられ、第１合部に係合する第２係合部が形成された第２ガラス保持金具と、を設ける。そして、第１ガラス保持金具および第２ガラス保持金具のうち少なくとも一方に、第１係合部と前記第２係合部との係合が外れることを防止するロック機構を設ける。
これにより、縦枠又は縦框に固定された第１ガラス保持金具の第１係合部に対して、屋外側から第２ガラス保持金具の第２係合部を係合させることで、ガラス保持部を形成できる。即ち、枠体又は障子にガラスを嵌め込んだ後に、第２ガラス保持金具を後付けできるため、容易にガラス保持金具を取り付けできる。また、第２ガラス保持金具をねじ止めする必要が無いため、縦枠とガラスの間の隙間が小さくても、容易にガラス保持金具を取り付けできるため、優れた施工性が得られる。
また、ロック機構により、第１係合部と第２係合部の係合がロックされるため、例えば、外押縁構造の開口部装置においても、ガラス保持金具を屋外側から容易に取り外すことはできない。従って、本発明によれば、高い防犯性を有する開口部装置を提供できる。
【０００９】
前記第１ガラス保持金具は、見付け面に前記第１係合部としてのスリット（例えば、後述のスリット６１３、隙間Ｓ２）が形成された第１本体部（例えば、後述の第１長尺状本体部６１２、第１短尺状本体部６３２）を有し、前記第２ガラス保持金具は、見込方向に突出して形成され、前記スリットに挿通されて前記第１本体部に係合可能な前記第２係合部としての突出部（例えば、後述の突出部６４、板状突起部６７）を備えた第２本体部（例えば、後述の第２長尺状本体部６２２、第２短尺状本体部６４２）を有することを特徴とすることが好ましい。
【００１０】
本発明では、第１ガラス保持金具に、見付け面に第１係合部としてのスリットを形成した第１本体部を設ける。また、第２ガラス保持金具に、見込方向に突出して形成され、スリットに挿通されて第１本体部に係合可能な第２係合部としての突出部を備えた第２本体部を設ける。
これにより、第１係合部をスリットとし、第２係合部を突出部とすることで、両者をより確実に係合させることができるため、上述の効果がより確実に奏される。
【００１１】
前記ロック機構は、前記第１本体部又は前記第２本体部のいずれかに設けられた板ばね（例えば、後述の板ばね６５、板状部６４３）の復元力を利用して構成されることを特徴とすることが好ましい。
【００１２】
本発明では、ロック機構を、第１本体部又は第２本体部のいずれかに設けた板ばねにより構成する。
これにより、第１係合部と第２係合部との係合が外れることを容易に防止することができる。
【００１３】
前記板ばねは、該板ばねの端部が屈曲されて形成された屈曲部（例えば、後述の屈曲部６５f、屈曲部６８）を有することを特徴とすることが好ましい。
【００１４】
本発明では、板ばねに該板ばねの端部を屈曲させて屈曲部を設ける。
これにより、板ばねで構成されるロックを解除するように板ばねを押圧する際、押圧する力を加えやすくなる。従って、ロックが解除しやすくなる。
【００１５】
前記板ばねは、前記屈曲部が屋内側に位置するように配置され、前記ロック機構は、屋内側から前記屈曲部を押圧することで解除されることを特徴とすることが好ましい。
本発明では、屋内側に位置するように配置されている板ばねの屈曲部を押圧することで、ロック機構が解除される。
これにより、屋内側からロック機構を解除しなければ、屋外側からガラス保持金具を取り外せないため、優れた防犯性能が得られる。
【００１６】
前記スリットは、前記突出部が挿通可能な幅広の第１スリット部（例えば、後述の幅広部６１３ａ）と、該第１スリット部の下方に連接され且つ前記第１スリット部よりも幅狭で前記突出部が係合する第２スリット部（例えば、後述の幅狭部６１３ｂ）と、を有し、前記ロック機構は、前記板ばねを折り曲げて形成された折り曲げ部（例えば、後述の折り曲げ部６５ｃ）が屋内側から前記第１スリット部に挿通され且つ前記第１スリット部の幅方向に前記板ばねが弾性変形可能に設けられて構成されることを特徴とすることが好ましい。
【００１７】
本発明では、スリットに、突出部が挿通可能な幅広の第１スリット部と、第１スリット部の下方に連接され且つ第１スリット部よりも幅狭で突出部が係合する第２スリット部と、を設ける。また、ロック機構を、折り曲げ部が屋内側から第１スリット部に挿通し且つ第１スリット部の幅方向に弾性変形可能に設けられた板ばねにより構成する。
本発明によれば、先ず、板ばねにより塞がれた第１スリット部に対して第２ガラス保持金具の突出部を挿入すると、板ばねが弾性変形する。次いで、第２ガラス保持金具を下方に移動させると、突出部が幅狭の第２スリット部に係合する。このとき、弾性変形していた板ばねは、その復元力により元の状態に戻り、再び第１スリット部を塞ぐ。
これにより、第２スリット部と突出部の係合がロックされる。従って、本発明によれば、高い防犯性が得られる。
【００１８】
前記第１ガラス保持金具および前記第２ガラス保持金具の少なくとも一方には、加熱発泡材が取り付けられていることを特徴とすることが好ましい。
【００１９】
本発明では、第１ガラス保持金具および第２ガラス保持金具の少なくとも一方に、加熱発泡材を取り付ける。
これにより、火災時に発生する熱で発泡して膨張し、周辺の隙間を埋めることで、熱風や煙の侵入を抑制することができる。従って、本発明によれば、より防火性能を向上できる。
【００２０】
上記目的を達成するため本発明は、縦枠の屋外側に設けられ、ガラスを屋外側から固定する外押縁（例えば、後述の外押縁７０）と、前記縦枠に固定され且つ上方に位置する第１スリット部と、該第１スリット部から下方に連続する第２スリット部とが形成された第１ガラス保持金具と、屋外側に設けられ且つ前記第１スリット部に挿通して前記第２スリット部に係合する突出部が形成された第２ガラス保持金具と、から構成されるガラス保持金具と、前記第１ガラス保持金具に設けられ、前記突出部が前記第２スリット部に係合した状態で、前記第１スリット部を塞ぐことにより前記突出部の前記第２スリット部に対する係合が外れないようにロックするロック機構と、前記ロック機構の屋内側に設けられ、屋内側から前記ロック機構を解除するロック機構解除手段（例えば、後述の薄板９０）と、を備える開口部装置におけるガラス保持金具の取り外し方法であって、前記外押縁を取り外す第１工程と、前記ロック機構解除手段により、屋内側から前記ロック機構を解除する第２工程と、前記第２工程の後、前記第２スリット部に係合している前記突出部を前記第１スリット部へ移動させて前記突出部と前記第２スリット部との係合を解除し、屋外側から前記第２ガラス保持金具を取り外す第３工程と、を有することを特徴とするガラス保持金具の取り外し方法を提供する。
【００２１】
本発明では、開口部装置におけるガラス保持金具の取り外し方法において、外押縁を取り外す第１工程と、ロック機構解除手段により、屋内側からロック機構を解除する第２工程と、第２工程の後、第２スリット部に係合している突出部を第１スリット部へ移動させて突出部と第２スリット部との係合を解除し、屋外側から前記第２ガラス保持金具を取り外す第３工程と、を含んで構成する。
本発明によれば、以上のような取り外し手順によらなければ、ガラス保持金具を取り外すことができないため、高い防犯性が得られる。
【発明の効果】
【００２２】
本発明によれば、ガラス保持金具の取り付けが容易で高い防犯性を有する開口部装置およびこれに用いられるガラス保持金具の取り外し方法を提供できる。
【図面の簡単な説明】
【００２３】
【図１】本発明の一実施形態に係る連窓を屋内側から見たときの正面図である。
【図２】上記実施形態に係る連窓の嵌め殺し窓側の縦断面図である。
【図３】上記実施形態に係る連窓の縦辷り出し窓側の縦断面図である。
【図４】上記実施形態に係る連窓の横断面図である。
【図５】上記実施形態に係る連窓の嵌め殺し窓に設けられるガラス保持部を示す斜視図である。（ａ）図は、第１ガラス保持金具に第２ガラス保持金具を取り付ける前の状態を示し、（ｂ）図は第１ガラス保持金具に第２ガラス保持金具を取り付けた状態を示している。
【図６】上記実施形態に係る連窓の窓枠とガラスの周縁部との間に設けられたガラス保持部の断面図である。
【図７】上記実施形態に係る連窓の縦辷り出し窓に設けられるガラス保持部を示す斜視図である。
【図８】上記実施形態に係る連窓の第１ガラス保持金具に第１ガラス保持金具を取り付けた状態を示す図である。
【図９】上記実施形態に係る連窓の縦框とガラスの周縁部との間に設けられたガラス保持部の断面図である。
【図１０】上記実施形態に係る連窓の外側框体２６の内部を示す部分図である。
【発明を実施するための形態】
【００２４】
以下、本発明の一実施形態について、図面を参照しながら詳しく説明する。なお、本明細書において、「見付方向」とは、建物の壁に形成された開口部に納められた連窓におけるガラスの面方向（即ち、左右方向）を意味し、「見込方向」とは、上記ガラスの厚さ方向（即ち、奥行き方向）を意味する。
【００２５】
図１は、本実施形態に係る開口部装置としての連窓１を屋内側から見たときの正面図である。連窓１は、建物の壁に形成され且つ開口縁に額縁が取り付けられた開口部に納められる。図１に示すように、連窓１は、見付方向に２つの窓が連設された連窓であり、枠体としての窓枠３０および方立４０と、第１開口部装置１０と、第２開口部装置２０と、を備える。また、連窓１は、後述する外押縁７０と、ガラス保持部６０と、を備える。
【００２６】
窓枠３０は、上窓枠３１０と、下窓枠３２０と、左右の縦窓枠３３０，３４０により矩形に枠組みされて構成される。また、窓枠３０は、これらの上窓枠３１０、下窓枠３２０および左右の縦窓枠３３０，３４０を形成する外側窓枠３１と、内側窓枠３２と、緩衝部材３３ａと、を有する。
【００２７】
外側窓枠３１は、窓枠３０における最も外側の枠組を規定する枠体である。外側窓枠３１は、金属、例えばアルミで構成される。
内側窓枠３２は、外側窓枠３１の見込方向内側に設けられ、屋内に配置される枠体である。内側窓枠３２は、例えば塩化ビニル等の合成樹脂で構成される。
緩衝部材３３ａは、後述するように内側窓枠３２に設けられている。
【００２８】
方立４０は、上窓枠３１０と下窓枠３２０との間に延設された中空の柱状部分である。方立４０は、屋外側に面する外側方立４１と、屋内側に面する内側方立４２により構成されている。
方立４０は、上窓枠３１０および下窓枠３２０の見付方向中央よりも右寄りに設けられる。即ち、本実施形態では、第１開口部装置１０の開口部の方が、第２開口部装置２０の開口部よりも大きい。
【００２９】
第１開口部装置１０は、屋内側から見て、方立４０の左側の窓枠３０内に納められる。第１開口部装置１０は、嵌め殺し窓であり、方立４０の左側の窓枠３０内に嵌め込まれて固定された矩形のガラス５１を備える。以下、第１開口部装置１０を、嵌め殺し窓１０ともいう。
【００３０】
第２開口部装置２０は、屋内側から見て、方立４０の右側の窓枠３０内に納められる。第２開口部装置２０は、縦辷り出し窓であり、方立４０の右側の窓枠３０内に納められた矩形の障子２００を備える。以下、第２開口部装置２０を、縦辷り出し窓２０ともいう。
【００３１】
外押縁７０は、第１開口部装置１０および第２開口部装置２０において、窓枠３０の屋外側に設けられ、ガラス５１、５２を屋外側から固定する枠状の縁である。
【００３２】
ガラス保持部６０は、外押縁７０の内側に配置されている。また、ガラス保持部６０は、第１開口部装置１０においては、縦窓枠３３０と方立４０との間に配置され、第２開口部装置２０においては縦窓枠３４０と方立４０との間に配置され、ガラス５１、５２を見付方向から保持する金具である。
【００３３】
図２は、本実施形態に係る連窓１の嵌め殺し窓１０側の縦断面図である。図２に示すように、ガラス５１は、窓枠３０内に収容されている。詳細には、ガラス５１は、上窓枠３１０、下窓枠３２０、縦窓枠３３０および方立４０により形成される枠体内に収容されている。ガラス５１は、屋内側の板ガラス５１１と、屋外側の板ガラス５１２と、これら２枚の板ガラスで挟持されたスペーサ５１ａと、を備える複層ガラスである。
【００３４】
図２に示すように、外側窓枠３１は、窓枠の最外層の周囲を囲んでいる。
内側窓枠３２は、内側窓枠本体部３２１と、内側窓枠立設部３２２とを有する。内側窓枠本体部３２１は、外側窓枠３１から見込方向内側への延長線上に配置されている。内側窓枠立設部３２２は、内側窓枠本体部３２１から窓枠３０の内周側へ向かって起立するように立設されている。
【００３５】
緩衝部材３３ａは、内側窓枠立設部３２２の見込方向における屋外側に設けられている。緩衝部材３３ａは、その一部が内側窓枠立設部３２２の内部に埋め込まれて内側窓枠立設部３２２により支持され、内側窓枠立設部３２２の屋外側に延出している。緩衝部材３３ａは、板ガラス５１１に接している。
【００３６】
図３は、本実施形態に係る連窓１の縦辷り出し窓２０側の縦断面図である。より具体的には、図３は、縦辷り出し窓２０を閉鎖している状態で、戸先側から見たときの縦断面図である。縦辷り出し窓２０は、窓枠３０の見付方向内周側に設けられ、屋外側へ開放可能な障子２００を備える点で嵌め殺し窓１０と異なる。
【００３７】
障子２００は、上框２１と、下框２２と、左右の縦框２３，２４と、により矩形に枠組みされた框体２５と、框体２５内に収容されて固定されたガラス５２と、ハンドル２８（図４参照）と、緩衝部材３３ｂと、を含んで構成される。
【００３８】
上框２１、下框２２および左右の縦框２３、２４それぞれは、外側框体２６と、外側框体２６の屋内側に連結された内側框体２７と、により形成される。
【００３９】
外側框体２６は、屋外側に面し、外側窓枠３１の最も屋外側の面よりもやや内側に配置される。見付方向中央側の縦框２３における外側框体２６は、方立４０に隣接している。見付方向外側の縦框２４における外側框体２６は、縦窓枠３４０に隣接している。上框２１および下框２２の外側框体２６は、それぞれ上窓枠３１０および下窓枠３２０に隣接している。外側框体２６は、例えばアルミで構成される。より具体的には、外側框体２６は、アルミを押出し成形することで得られる。
【００４０】
内側框体２７は、外側框体２６に取り付けられ、屋内側に配置されている。内側框体２７は、障子２００の内周側へ向かうように立設されている。内側框体２７は、例えば塩化ビニル樹脂等の合成樹脂で構成される。
【００４１】
緩衝部材３３ｂは、内側窓枠立設部３２２に設けられている構成と同様に、その一部が内側框体２７の内部に埋め込まれて内側框体２７により支持され、内側框体２７の屋外側に延出している。緩衝部材３３ｂは、板ガラス５２２に接している。
【００４２】
ガラス５２は、障子２００内に設けられている。ガラス５２は、屋内側の板ガラス５２１と、屋外側の板ガラス５２２と、これら２枚の板ガラスで挟持されたスペーサ５２ａと、を備える複層ガラスである。
【００４３】
ハンドル２８は、障子２００の方立４０側に設けられる。ハンドル２８を屋外側に押出し、吊元側に設けられた図示しない回動軸を中心として回動させることで、障子２００が開放可能となっている。
【００４４】
図４は、本実施形態に係る連窓１の横断面図である。
図４に示すように、嵌め殺し窓１０および縦辷り出し窓２０において、ガラス５１、５２は、ガラス保持部６０により保持されて、枠体としての窓枠３０および方立４０、又は障子２００の框体２５にそれぞれ収容されている。
【００４５】
ガラス保持部６０は、第１ガラス保持金具と、第１係合部と、第２ガラス保持金具と、第２係合部と、ロック機構と、を備えている。ガラス保持部６０は、耐熱性の高いＳＵＳやスチールにより構成される。
図１に示すように、ガラス保持部６０は、縦枠３３０および方立４０又は縦框２３，２４とガラス５１、５２の側縁部との間で、ガラス５１、５２の周縁部の上下方向に延びるように延設されている。
【００４６】
図４に示されるように、方立４０は、外側方立４１と、内側方立４２とを有している。
外側方立４１は、外側窓枠３１とほぼ同程度の奥行きを有し、屋外側に面している。
内側方立４２は、外側方立４１から連続して屋内側に延びている。内側方立４２は、外側方立４１の見付方向の幅よりも広い。
【００４７】
以下に、嵌め殺し窓１０におけるガラス保持部６０の構成について説明する。
図５は、嵌め殺し窓１０に設けられるガラス保持部６０を示す斜視図である。（ａ）図は、長尺状第１ガラス保持金具６１１に長尺状第２ガラス保持金具６２１を取り付ける前の状態を示し、（ｂ）図は長尺状第１ガラス保持金具６１１に長尺状第２ガラス保持金具６２１を取り付けた状態を示している。図６は、縦窓枠３３０とガラス５１の周縁部との間に設けられたガラス保持部６０の断面図である。
【００４８】
嵌め殺し窓１０のガラス保持部６０は、第１ガラス保持金具としての長尺状第１ガラス保持金具６１１と、第２ガラス保持金具としての長尺状第２ガラス保持金具６２１と、板ばね６５と、を有する。ガラス保持部６０は、例えば縦窓枠３３０および方立４０の上端近傍から２／３程度の範囲に延びるように設けられている。
【００４９】
図６に示すように、ガラス保持部６０は、窓枠３０の見付方向の一方側では、縦窓枠３３０における外側窓枠３１および内側窓枠３２における内側窓枠立設部３２２に接するように配置されている。また、図６では省略されているが、窓枠３０の見付方向の他方側では、ガラス保持部６０は、縦窓枠３４０における外側方立４１および内側方立４２に接するように配置されている。
【００５０】
長尺状第１ガラス保持金具６１１は、縦窓枠３３０および外側方立４１に固定される金具である。長尺状第１ガラス保持金具６１１は、第１本体部としての第１長尺状本体部６１２と、第１係合部としてのスリット６１３と、を有する。
【００５１】
第１長尺状本体部６１２は、平面部６１２ａと、コ字側面６１２ｂと、コ字平面６１２ｄと、Ｌ字側面６１２ｃと、スリット６１３と、逃げ穴６１４と、切り欠き６１５と、ボルト用切り欠き６１６と、を有する。第１長尺状本体部６１２は、縦窓枠３３０および方立４０の上端近傍から下端近傍まで上下方向に沿って配置される縦長の部材である。
【００５２】
平面部６１２ａは、図５（ａ）に示すように、第１長尺状本体部６１２の断面視において、Ｌ字形の板部材とコ字形の板部材が互いに向き合って繋がった部分により構成されている
コ字側面６１２ｂは、第１長尺状本体部６１２のコ字型の部分において、平行する２つの面に直交しこれら２つの平行面を繋ぐ側面に設けられる。
コ字平面６１２ｄは、コ字側面６１２ｂに略直交するとともに平面部６１２ａに向かい合う面に設けられる。
Ｌ字側面６１２ｃは、第１長尺状本体部６１２のＬ字型の部分において、Ｌ字の長辺を構成する形成する側面に設けられる。
ボルト用切り欠き６１６は、コ字平面６１２ｄ上に形成されている。
なお、平面部６１２ａの内側およびコ字平面６１２ｄの外側には、シート状の加熱発泡材８０が取り付けられている。加熱発泡材８０は、火災時に発生する熱で発泡して膨張し、周辺の隙間を埋めることで、熱風や煙の侵入を抑制する。以下で説明する加熱発泡材８０は、いずれも同様の効果を有する。
【００５３】
スリット６１３は、第１長尺状本体部６１２の見付面に上下方向に延びるように形成される。即ち、スリット６１３は、コ字側面６１２ｂに設けられる。スリット６１３は、コ字側面６１２ｂに第１長尺状本体部６１２の長手方向に沿うように設けられている。
【００５４】
スリット６１３は、第１スリット部としての幅広部６１３ａと、第２スリット部としての幅狭部６１３ｂと、を有する。幅広部６１３ａは、窓枠３０に固定された状態における上方に形成され、後述する突出部６４が挿通される。幅狭部６１３ｂは、幅広部６１３ａから連接されて下方へ延び、突出部６４が係合する。
スリット６１３は、第１長尺状本体部６１２の上下方向に間隔を空けて２つ配置されている。図５では、上方のスリット６１３のみ図示されており、下方のスリット６１３は省略されている。
【００５５】
逃げ穴６１４は、Ｌ字側面６１２ｃにおいて、スリット６１３の幅広部６１３ａに向かい合う面に設けられる。
切り欠き６１５は、コ字平面６１２ｄにおいて、スリット６１３の幅広部６１３ａに対応する範囲内に設けられる。
逃げ穴６１４および切り欠き６１５は、後述する板ばね６５の動きを規制しないようにするために設けられている。
【００５６】
長尺状第２ガラス保持金具６２１は、屋外側に設けられ、長尺状第１ガラス保持金具６１１に係合する金具である。長尺状第２ガラス保持金具６２１は、第２本体部としての第２長尺状本体部６２２と、第２係合部としての突出部６４と、を有する。
【００５７】
第２長尺状本体部６２２は、縦窓枠３３０および方立４０の上端近傍から下端近傍まで上下方向に沿って配置される縦長の部材である。第２長尺状本体部６２２は、第１面６２２ａと、第２面６２２ｂとを有する。
第１面６２２ａは、上下方向に同じ幅で延びる面である。第１面６２２ａは、長尺状第１ガラス保持金具６１１に取り付けられた状態で、内側の面がコ字側面６１２ｂに対向する面となる。第２面６２２ｂは、第１面６２２ａから屈曲して延びる面である。
なお、第１面６２２ａの内側には、加熱発泡材８０が取り付けられている。
【００５８】
突出部６４は、第１面６２２ａに略直交し、第２長尺状本体部６２２の第２面６２２ｂから見込方向に突出して屈曲するように形成されている。突出部６４は、窓枠３０に配置した状態で第２面６２２ｂの上方から下方に向かって逆さにしたＬ字状に突出している。突出部６４は、Ｌ字状の長辺を構成する長辺部分６４ａおよびＬ字状の短辺を構成する短辺部分６４ｂを有する。Ｌ字状の長辺部分６４ａと第２面６２２ｂとの間には、短辺部分６４ｂの長さの分の隙間６４ｃが形成されている。突出部６４は、スリット６１３に係合可能である。
突出部６４は、第２長尺状本体部６２２の上下方向に間隔を空けて２つ配置されている。図５では、上方の突出部６４のみ図示されており、下方の突出部６４は省略されている。
【００５９】
板ばね６５は、長尺状第１ガラス保持金具６１１に設けられ、スリット６１３に挿通している。板ばね６５は、折り曲げた板状の部材である。板ばね６５は、長尺状第２ガラス保持金具６２１の突出部６４が長尺状第１ガラス保持金具６１１のスリット６１３に係合した際に、スリット６１３を幅方向に塞いで突出部６４がスリット６１３から引き抜けなくするようにロックするロック機構を構成する。
【００６０】
板ばね６５は、折り曲げ部６５ｃと、短板部６５ａと、長板部６５ｂと、屈曲部６５ｆと、固定部６６（図６参照）と、を有する。板ばね６５は、長尺状第１ガラス保持金具６１１のコ字平面６１２ｄにおける内側に、例えば溶接により接合されている。板ばね６５は、スリット６１３の幅広部６１３ａに対応する位置に配置されている。板ばね６５は、長尺状第１ガラス保持金具６１１において、２つ設けられたスリット６１３の幅広部６１３ａのうち上方に設けられた幅広部６１３ａに弾性変形可能な状態で挿通して一つ設けられていればよい。
【００６１】
板ばね６５は、略四角形の一枚の板をくの字に折り曲げて形成され、開放側の両端が屋内側に配置されている。板ばね６５における長尺状第１ガラス保持金具６１１の長手方向に沿う辺の長さは、長尺状第１ガラス保持金具６１１の逃げ穴６１４および切り欠き６１５における長尺状第１ガラス保持金具６１１の長手方向に沿う辺の長さよりも短い。そして、板ばね６５は、長尺状第１ガラス保持金具６１１において逃げ穴６１４および切り欠き６１５が設けられる範囲内に収まる位置に配置されている。
【００６２】
折り曲げ部６５ｃは、板ばね６５を折り曲げた際に形成される部分であり、略直線状に延びている。折り曲げ部６５ｃは、屋内側からスリット６１３の幅広部６１３ａに挿通している。
短板部６５ａは、折り曲げられた板ばね６５の幅の短い板により構成される。短板部６５ａは、折り曲げ部６５ｃに対向する端部６５ｄを有する。
長板部６５ｂは、折り曲げられた板ばね６５の幅の長い板により構成される。長板部６５ｂは、折り曲げ部６５ｃに対向する端部６５ｅを有する。
屈曲部６５ｆは、端部６５ｅの近傍において、取り外す際に、後述する薄板９０で確実に押せるようにわずかに折り曲げられた部分である。
固定部６６は、短板部６５ａの端部６５ｄ近傍を、コ字平面６１２ｄに溶接やねじ止め等で固定して形成される部分である。
【００６３】
図６に示すように、板ばね６５は、長尺状第２ガラス保持金具６２１が長尺状第１ガラス保持金具６１１に係合された状態では、折り曲げ部６５ｃと、短板部６５ａおよび長板部６５ｂにおける折り曲げ部６５ｃの近傍が、スリット６１３から突出するように接合されている。
【００６４】
次に、図５および図６を参照して、ガラス５１をガラス保持部６０により保持するように、長尺状第２ガラス保持金具６２１を長尺状第１ガラス保持金具６１１に対して取り付ける方法および取り外す方法について説明する。
【００６５】
まず、取り付け方法について説明する。
ガラス５１は、外押縁７０を外した状態で窓枠３０に取り付けられる。この状態で、屋外側から、スリット６１３から突出している板ばね６５の長板部６５ｂ側と、コ字平面６１２ｄとの間に形成される隙間Ｓ１に、スリット６１３から長尺状第２ガラス保持金具６２１の突出部６４を挿入する。具体的には、突出部６４の長辺部分６４ａを、板ばね６５の長板部６５ｂ側およびコ字平面６１１ｄの間に差し込む。すると、板ばね６５は弾性変形して長板部６５ｂと短板部６５ａとが近づき、突出部６４が長尺状第１ガラス保持金具６１１のＬ字側面６１２ｃまで奥深く入り込む。
【００６６】
板ばね６５の長板部６５ｂと短板部６５ａとが近づいた状態で、長尺状第２ガラス保持金具６２１を下方に移動させると、図５（ｂ）に示すように、突出部６４はスリット６１３の下方の幅狭部６１３ｂへ移動する。突出部６４が下方に移動すると、長板部６５ｂと短板部６５ａは板ばねの復元力によりもとの状態に戻り、長板部６５ｂ側と、コ字平面６１１ｄの間を付勢した状態で、幅広部６１３ａを塞ぐ。長尺状第２ガラス保持金具６２１が長尺状第１ガラス保持金具６１１に取り付けられることにより、長尺状第２ガラス保持金具６２１の第１面６２２ａと、長尺状第１ガラス保持金具６１１のＬ字側面６１２ｃによりガラス５１が挟持され、ガラス５１が保持される（図６参照）。その後、外押縁７０によりガラス５１を窓枠３０に押さえるようにして取り付ける。この状態では、屋外側から長尺状第２ガラス保持金具６２１を引き出すことはできなくなり、ロックされる。
【００６７】
次に、取り外し方法について説明する。
図６に示すように、屋内側において、内側窓枠３２と板ガラス５１１との間に薄板９０を差し込む。板ガラス５１１は、緩衝部材３３ａにより支持されているため、薄板９０は緩衝部材３３ａを変形させて板ガラス５１１に沿って板ばね６５の方へ進入する。薄板９０は、板ばね６５の開放側の一端における端部６５ｅ近傍の屈曲部６５ｆに当接し、開放側の他端における端部６５ｄ側へ接近する方向へ、長板部６５ｂを短板部６５ａへ近づけるように屈曲部６５ｆを押圧する。板ばね６５は、板状の部材の復元力によりスリット６１３の幅広部６１３ａを塞いでいたが、薄板９０により押されることで、長板部６５ｂ側と、コ字平面６１１ｄの間に隙間Ｓ１が形成される。隙間Ｓ１は、薄板９０が板ばね６５側に進入するとともに広がり、板ばね６５によるロックが解除される。この状態で、屋外側から長尺状第２ガラス保持金具６２１を保持し、下方から上方へ引き上げると、突出部６４がスリットの幅狭部６１３ｂから幅広部６１３ａへ移動する。そして、突出部６４と幅狭部６１３ｂとの係合を解除し、突出部６４を引き出すことにより、長尺状第２ガラス保持金具６２１を長尺状第１ガラス保持金具６１１から取り外すことができる。このように、屋内側から内側窓枠３２とガラス５１との間に薄板９０を差し込まなければ、板ばね６５によるロックを解除することができない。さらに、屋内側からロックを解除して、屋外側から外押縁７０を取り外さなければ、ガラス５１を外すことはできない。
【００６８】
次に、縦辷り出し窓２０におけるガラス保持部６０の構成について説明する。図７は、縦辷り出し窓２０に設けられるガラス保持部６０を示す斜視図であり、短尺状第１ガラス保持金具６３１に短尺状第２ガラス保持金具６４１を取り付ける前の状態を示している。図８は、短尺状第１ガラス保持金具６３１に短尺状第２ガラス保持金具６４１を取り付けた状態を示している。図９は、縦框２４とガラス５２の周縁部との間に設けられたガラス保持部６０の断面図である。
【００６９】
図４に示すように、縦辷り出し窓２０において、ガラス５２の見付方向における両端部側において、ガラス保持部６０は、障子２００の框体２５（左右の縦框２３、２４）とガラス５２の周縁部との間に設けられている。ガラス保持部６０は、ガラス５２の上下方向において、互いに間隔を空けて３個設けられている（図１参照）。
【００７０】
図７に示すように、縦辷り出し窓２０のガラス保持部６０は、第１ガラス保持金具としての短尺状第１ガラス保持金具６３１と、第１係合部としての隙間Ｓ２と、第２ガラス保持金具としての短尺状第２ガラス保持金具６４１と、第２係合部（突出部）としての板状突起部６７と、板状部６４３と、を有する。縦辷り出し窓２０におけるガラス保持部６０では、ロック機構は、板状部６４３により構成される。図９に示すように、ガラス保持部６０は、外側框体２６および内側框体２７に接するように配置されている。
【００７１】
短尺状第１ガラス保持金具６３１は、第１本体部としての第１短尺状本体部６３２と、係合面部６３３と、隙間Ｓ２と、を有する。短尺状第１ガラス保持金具６３１は、第１短尺状本体部６３２および係合面部６３３の２つの部材が重ね合わされ、第１短尺状本体部６３２および係合面部６３３の間に隙間Ｓ２が形成されるように構成されている。短尺状第１ガラス保持金具６３１は、縦長の形状を有し、長手方向が縦框２４の上下方向に沿うとともに、幅方向が縦框２３、２４の見込方向に沿うように配置されている。短尺状第１ガラス保持金具６３１は、長尺状第１ガラス保持金具１１よりも短い。
【００７２】
第１短尺状本体部６３２は、左右の縦框２３，２４の見込方向に延びる所定の幅を有するとともに、上下方向に延設される。
第１短尺状本体部６３２は、固定面６３２ａと、受け面６３２ｂと、支持面６３２ｃと、を有する。固定面６３２ａは、縦框２３，２４に接してボルトで固定される面である。受け面６３２ｂは、固定面６３２ａから屈曲し、固定面６３２ａから浮いた位置で固定面６３２ａの延びる方向に略平行に延びている（図９参照）。受け面６３２ｂの端部６３２ｄは、短尺状第２ガラス保持金具６４１の挿入を容易にするように固定面６３２ａ側へ反っている。固定面６３２ａおよび受け面６３２ｂは、縦框２４の見込方向に沿って配置されている。支持面６３２ｃは、固定面６３２ａに対して略直交する方向へ屈曲して、縦框２４に支持されている。
【００７３】
係合面部６３３は、第１短尺状本体部６３２に隙間Ｓ２を設けて積層されている。係合面部６３３は、隙間Ｓ２に挿入された短尺状第２ガラス保持金具６４１に係合される面である。係合面部６３３は、Ｗ字面６３３ａと、Ｗ字面端部６３３ｂと、段差６３３ｃと、を有する。Ｗ字面６３３ａは、略Ｗ字の形状を有する面である。係合面部６３３は、Ｗ字における二つの凸の頂部が、第１短尺状本体部６３２の一方側に寄るように配置されている。即ち、短尺状第１ガラス保持金具６３１が縦框２４に固定された状態で、Ｗ字における二つの凸の頂部が屋外側に位置するように配置されている。
段差６３３ｃは、Ｗ字面６３３ａの幅方向の両端が、Ｗ字面６３３ａに対して直交する方向に屈曲することにより構成されている。
Ｗ字面端部６３３ｂは、段差６３３ｃから幅方向外側に配置されるＷ字の形状の最も外側の端部である。Ｗ字面端部６３３ｂは、第１短尺状本体部６３２の固定面６３２ａにおける端部に重ね合わされて溶接されている。従って、係合面部６３３と第１短尺状本体部６３２との間には、段差６３３ｃの分の隙間Ｓ２が形成されている。
【００７４】
係合面６３５は、係合面部６３３に設けられている。係合面６３５は、係合面部６３３のＷ字面６３３ａにおける幅方向略中央に、Ｗ字の幅方向に延びるように設けられている板面である。係合面６３５は、第１短尺状本体部の一方側（屋外側）に寄るよう配置されるとともに、他方側（屋内側）に空間を空けるようにして配置されている。なお、係合面部６３３の外側表面には、加熱発泡材８０が取り付けられている。
【００７５】
短尺状第２ガラス保持金具６４１は、第２本体部としての第２短尺状本体部６４２と、板状部６４３と、第２係合部（突出部）としての板状突起部６７と、を有する。
第２短尺状本体部６４２は、左右の縦框２３，２４の見込方向に延びる所定の幅を有するとともに、上下方向に延設される。第２短尺状本体部６４２は、断面視で略Ｌ字状の形状を有し、上面視では、中央が窪んだ凹状の形状をしている。
【００７６】
第２短尺状本体部６４２は、第１面６４２ａおよび第２面６４２ｂを有する。
第１面６４２ａは、縦框２４の長手方向に沿って同じ幅で延びる面である。第１面６４２ａは、第２短尺状本体部６４２の断面視略Ｌ字状における短辺を構成するとともに、上面視の凹状における底辺を構成する。
第２面６４２ｂは、第１面６４２ａの長手方向の一方および他方の端部から第１面に略直交する方向に延びる面である。第２面６４２ｂは、第２短尺状本体部６４２の断面視略Ｌ字状における長辺を構成するとともに、上面視における凹状の幅方向両側の突出部を構成する。第２面６４２ｂの上面視における幅方向の一方から他方の端部までの距離は、短尺状第１ガラス保持金具６３１の第１短尺状本体部６３２および係合面部６３３との間に形成される隙間Ｓ２における縦框２４の長手方向に沿う長さの範囲に収まるように構成されている。
【００７７】
板状部６４３は、第２短尺状本体部６４２から見込方向に延びるように設けられる。板状部６４３は、板状突起部６７と、屈曲部６８と、を有する。板状部６４３は、略四角形の板状の部材である。板状部６４３は、第２面６４２ｂにおける凹状の窪んだ部分、即ち第２面６４２ｂの上面視における幅方向略中央に、第１面６４２ａに略直交する方向へ延びるように取り付けられる。板状部６４３は、第１面６４２ａに沿う基端辺６４３ａが第１面６４２ａに接するように取り付けられる。板状部６４３は、係合面部６３３と第１短尺状本体部６３２との間に形成される隙間Ｓ２に挿入可能である。
【００７８】
板状部６４３は、スチールのような板状の部材により形成されている。このため、板状部６４３は、見付方向に弾性変形することにより短尺状第２ガラス保持金具６４１を短尺状第１ガラス保持金具６３１に対してロックするロック機構を構成する。
【００７９】
板状突起部６７は、板状部６４３の基端辺６４３ａに対向し、先端側に位置する遠位辺６４３ｂ側において、遠位辺６４３ｂに沿って形成される。板状突起部６７は、遠位辺６４３ｂの近傍において板状部６４３に三方の切込みを形成し、この切り込みを持ち上げるようにして形成されている。板状突起部６７は、板状部６４３の先端側において、第２短尺状本体部６４２側に向かうに従って、係合面部６３３側に傾斜して突出している。板状突起部６７は、板状部６４３と同じスチールのような板状の部材により形成されているため、弾性変形可能である。
【００８０】
図８に示すように、板状突起部６７は、短尺状第２ガラス保持金具６４１が短尺状第１ガラス保持金具６３１に接合された状態では、短尺状第１ガラス保持金具６３１における係合面部６３３の係合面６３５に係合する。
【００８１】
屈曲部６８は、板状部６４３の遠位辺６４３ｂのさらに先端側に、遠位辺６４３ｂに沿って形成されるＵ字状の溝である。
【００８２】
次に、図９を参照して、ガラス５２をガラス保持部６０で保持するように、短尺状第２ガラス保持金具６４１を短尺状第１ガラス保持金具６３１に対して取り付ける方法および取り外す方法について説明する。
【００８３】
まず、取り付け方法について説明する。
ガラス５２は、外押縁７０を外した状態で框体２５に取り付けられる。この状態で、屋外側から短尺状第２ガラス保持金具６４１の板状部６４３および第２短尺状本体部６４２の第２面６４２ｂを、短尺状第１ガラス保持金具６３１に形成されている第１短尺状本体部６３２と係合面部６３３との間の隙間Ｓ２に差し込む。すると、弾性変形可能な板状部６４３とおよび板状突起部６７が、隙間Ｓ２に摺動して係合し、係合面部６３３の係合面６３５を超える。板状突起部６７が係合面６３５を超えると、板状部６４３は復元力により板状突起部６７を係合面６３５側に付勢して板状突起部６７を係合面６３５に係合させる。その後、外押縁７０によりガラス５２を框体２５に押さえるようにして取り付ける。この状態では、屋外側から短尺状第２ガラス保持金具６４１を短尺状第１ガラス保持金具６３１から引き出すことはできなくなり、ロックされる。
【００８４】
次に、取り外し方法について説明する。
図９に示すように、屋内側において、内側框体２７と板ガラス５２１との間に薄板９０を差し込む。ガラス５２が、緩衝部材３３ｂにより支持されているため、薄板９０は緩衝部材３３ｂを変形させてガラス５２に沿って屈曲部６８の方へ進入する。薄板９０は、屈曲部６８に当接し、板状突起部６７がガラス５２から遠ざかるように屈曲部６８を押圧する。すると、板状部６４３がガラス５２から遠ざかる方へ弾性変形し、板状突起部６７の係合面６３５に対するロックが解除される。この状態で、屋外側から短尺状第２ガラス保持金具６４１を保持し、屋内側から屋外側へ引き出すと、板状突起部６７は第１短尺状本体部６３２および係合面部６３３の間の隙間Ｓ２を通って屋外側へ引き出される。このように、屋内側から内側框体２７かとガラス５２との間に薄板９０を差し込まなければ、板状突起部６７によるロックを解除することができない。さらに、屋内側からロックを解除して、屋外側から外押縁７０を取り外さなければ、ガラス５２を外すことはできない。
【００８５】
図４〜９に示されるように、加熱発泡材８０は、窓枠３０や障子２００等により密閉される空間に配置されている。加熱発泡材８０は、シート状に形成され、両面テープにより窓枠３０や障子２００の内面に貼付されている。
図１０は、外側框体２６の内部を示す部分図である。図１０に示すように、加熱発泡材８０は、気密部材８１により外側框体２６の内面に押さえつけて固定されている。
【００８６】
気密部材８１は、本体部８２と、ねじ孔８３と、ねじ８４とを有する。本体部８２は、例えば、樹脂製のパッキンにより構成される。本体部８２は、加熱発泡材８０の取り付けられる面とほぼ同じ幅を有している。本体部８２は、加熱発泡材８０を外側框体２６の内面と気密部材８１で挟んだ状態で外側框体２６にねじ止めされる。
【００８７】
気密部材８１によれば、両面テープのみで貼り付けるシート状の加熱発泡材８０を押さえつけた状態で固定するため、加熱発泡材８０を取り付けるねじの本数を減らすことができる。また、加熱発泡材８０を、上下の端部のみで押さえつけて、端部以外の部分ではねじ止めしないことにより、ねじにより阻害されることなく加熱発泡材８０全体が膨張しやすい。また、気密部材８１の本体部８２は、火災の際に溶けやすい樹脂により形成されている。このため、加熱発泡材８０を押さえている本体部８２が溶けることにより、加熱発泡材８０全体が膨張しやすい。
【００８８】
本実施形態によれば、以下の効果が奏される。
本実施形態では、連窓１に、窓枠３０、方立４０、又は障子２００における縦框２３，２４と、ガラス５１，５２の側縁部との間で、ガラス５１，５２の周縁部の上下方向に延設するガラス保持部６０を設けた。また、ガラス保持部６０に、縦枠３３０、方立４０又は縦框２３，２４に固定され且つスリット６１３又は隙間Ｓ２が形成された第１ガラス保持金具（長尺状第１ガラス保持金具６１１、短尺状第１ガラス保持金具６３１）と、屋外側に設けられ且つスリット６１３又は隙間Ｓ２に係合する突出部６４又は板状突起部６７が形成された第２ガラス保持金具（長尺状第２ガラス保持金具６２１、短尺状第２ガラス保持金具６４１）と、を設けた。そして、第１ガラス保持金具６１１に、スリット６１３と突出部６４との係合が外れることを防止する板ばね６５を設け、又は第２ガラス保持金具６４１に、隙間Ｓ２と板状突起部６７との係合が外れることを防止する板状部６４３を設ける構成とした。
【００８９】
これにより、縦窓枠３３０および方立４０、縦框２３，２４に固定された第１ガラス保持金具のスリット６１３又は隙間Ｓ２に対して、屋外側から第２ガラス保持金具の突出部６４又は板状突起部６７を係合させることで、ガラス保持部６０を形成できる。即ち、窓枠３０および方立４０、框体２５にガラス５１，５２を嵌め込んだ後に、第２ガラス保持金具を後付けできるため、容易にガラス保持金具６０を取り付けできる。また、第２ガラス保持金具をねじ止めする必要が無いため、縦窓枠３３および方立４０、縦框２３，２４とガラス５１，５２の間の隙間が小さくても、容易にガラス保持金具６０を取り付けできるため、優れた施工性が得られる。
また、板ばね６５および板状部６４３により、スリット６１３又は隙間Ｓ２と突出部６４又は板状突起部６７の係合がロックされるため、例えば、外押縁構造の開口部装置においても、ガラス保持金具を屋外側から容易に取り外すことはできない。従って、本発明によれば、高い防犯性を有する開口部装置を提供できる。
【００９０】
また本実施形態では、第１ガラス保持金具６１１、６３１に、見付け面に第１係合部としてのスリット６１３、隙間Ｓ２を形成した第１本体部（第１長尺状本体部６１２、第１短尺状本体部６３２）を設けた。また、第２ガラス保持金具６２１、６４１に、見込方向に突出して形成され、スリット６１３、Ｓ２に挿通されて第１本体部６１２、６３２に係合可能な第２係合部（突出部）としての突出部６４、板状突起部６７を備えた第２本体部（第２長尺状本体部６２２、第２短尺状本体部６４２）を設けた。
これにより、第１係合部をスリット、隙間Ｓ２とし、第２係合部を突出部６４、板状突起部６７とすることで、両者をより確実に係合させることができるため、上述の効果がより確実に奏される。
【００９１】
また本実施形態では、ロック機構を、第１本体部６１２、６３２又は第２本体部６２２、６４２のいずれかに設けた板ばね６５、板状部６４３の復元力を利用して構成した。
これにより、スリット６１３、隙間Ｓ２と突出部６４、板状突起部６７との係合が外れることを容易に防止することができる。
【００９２】
また本実施形態では、板ばね６５、板状部６４３に、端部が屈曲されて形成された屈曲部６５ｆ、６８を設けた。
これにより、板ばね６５、板状部６４３で構成されるロックを解除するように板ばね６５、板状部６４３を押圧する際、押圧する力を加えやすくなる。従って、ロックが解除しやすくなる。
【００９３】
また本実施形態では、板ばね６５、板状部６４３を、屈曲部６５ｆ、６８が屋内側に位置するように配置した。また、ロック機構を、屋内側から屈曲部６５ｆ、６８を押圧することで解除されるように構成した。
これにより、屋内側からロック機構を解除しなければ、屋外側からガラス保持金具を取り外せないため、優れた防犯性能が得られる。
【００９４】
また本実施形態では、スリットに、突出部６４が挿通可能な幅広の幅広部６１３ａと、幅広部６１３ａの下方に連接され且つ幅広部６１３ａよりも幅狭で突出部６４が係合する幅狭部６１３ｂと、を設けた。また、ロック機構を、折り曲げ部６５ｃが、屋内側から幅広部６１３ａに挿通し且つ幅広部６１３ａの幅方向に弾性変形可能に設けた板ばね６５により構成した。
これにより、先ず、板ばね６５により塞がれた幅広部６１３ａに対して長尺状第２ガラス保持金具６２１の突出部６４を挿入すると、板ばね６５が弾性変形する。次いで、長尺状第２ガラス保持金具６２１を下方に移動させると、突出部６４が幅狭部６１３ｂに係合する。このとき、弾性変形していた板ばね６５は、その復元力により元の状態に戻り、再び幅広部６１３ａを塞ぐ。これにより、幅狭部６１３ｂと突出部６４の係合がロックされる。従って、本発明によれば、高い防犯性が得られる。
【００９５】
また本実施形態では、第１ガラス保持金具６１１、６３１および第２ガラス保持金具６２１、６４１の少なくとも一方に、加熱発泡材８０を取り付けた。
これにより、火災時に発生する熱で発泡して膨張し、周辺の隙間を埋めることで、熱風や煙の侵入を抑制することができる。従って、本発明によれば、より防火性能を向上できる。
【００９６】
本実施形態では、縦枠３３０、方立４０の屋外側に設けられ、ガラス５１を屋外側から固定する外押縁７０と、縦枠３３０、方立４０に固定され且つ上方に位置する第１スリット部６１３ａと、該第１スリット部６１３ａから下方に連続する第２スリット部６１３ｂとが形成された長尺状第１ガラス保持金具６１１と、屋外側に設けられ且つ第１スリット部６１３ａに挿通して第２スリット部６１３ｂに係合する突出部６４が形成された長尺状第２ガラス保持金具６２１と、から構成されるガラス保持金具６０と、長尺状第１ガラス保持金具６１１に設けられ、突出部６４が第２スリット部６１３ｂに係合した状態で、第１スリット部６１３ａを塞ぐことにより突出部６４の第２スリット部６１３ｂに対する係合が外れないようにロックするロック機構と、ロック機構の屋内側に設けられ、屋内側からロック機構を解除する薄板９０と、を備える連窓１におけるガラス保持金具６０の取り外し方法において、外押縁７０を取り外す第１工程と、薄板９０により、屋内側からロック機構を解除する第２工程と、第２工程の後、第２スリット部６１３ｂに係合している突出部６４を第１スリット部６１３ａへ移動させて突出部６４と第２スリット部６１３ｂとの係合を解除し、屋外側から長尺状第２ガラス保持金具６２１を取り外す第３工程と、を含んで構成した。
これにより、以上のような取り外し手順によらなければ、ガラス保持金具を取り外すことができないため、高い防犯性が得られる。
【００９７】
なお、本発明は上記実施形態に限定されるものではなく、本発明の目的を達成できる範囲での変形、改良等は本発明に含まれる。
【００９８】
例えば、ガラス保持部６の配置や数は、開口部装置の大きさ、ガラスの厚さ等によって適宜変更できる。
【符号の説明】
【００９９】
１…連窓（開口部装置）
２３…縦框
２４…縦框
３０…窓枠（枠体）
４０…方立（縦枠）
５１，５２…ガラス
６０…ガラス保持部
６４…突出部（第２係合部）
６５…板ばね（ロック機構）
６５ｃ…折り曲げ部
６５ｄ…板ばねの端部（他端部）
６５ｅ…板ばねの端部（一端部）
６５ｆ…屈曲部
６７…板状突起部（第２係合部）
６８…屈曲部
７０…外押縁
８０…加熱発泡材
９０…薄板（ロック機構解除手段）
２００…障子
３１０…上窓枠（上枠）
３２０…下窓枠（下枠）
３３０…縦窓枠（縦枠）
６１１…長尺状第１ガラス保持金具（第１ガラス保持金具）
６１２…第１長尺状本体部（第１本体部）
６１３…スリット（第１係合部）
６１３ａ…幅広部（第１スリット部）
６１３ｂ…幅狭部（第２スリット部）
６２１…長尺状第２ガラス保持金具（第２ガラス保持金具）
６２２…第２長尺状本体部（第２本体部）
６３１…短尺状第１ガラス保持金具（第１ガラス保持金具）
６３２…第１短尺状本体部（第１本体部）
６４１…短尺状第２ガラス保持金具（第２ガラス保持金具）
６４２…第２短尺状本体部（第２本体部）
６４３…板状部（ロック機構）
Ｓ２…隙間（第１係合部、スリット）
【図１】
2014194119.tif 000003
【図２】
2014194119.tif 000004
【図３】
2014194119.tif 000005
【図４】
2014194119.tif 000006
【図５】
2014194119.tif 000007
【図６】
2014194119.tif 000008
【図７】
2014194119.tif 000009
【図８】
2014194119.tif 000010
【図９】
2014194119.tif 000011
【図１０】
2014194119.tif 000012